(57)【特許請求の範囲】
【請求項１】
視差画像列撮像装置により撮像した多数の要素視差画像情報に基づく視差画像と、２次元画像情報作成装置により作成した２次元画像情報に基づく２次元画像とを、視差記録画像及び２次元記録画像として記録媒体に合成して記録する画像情報の記録方法であり、
上記２次元画像情報に対して、上記記録媒体の画像記録基準面からの深さ位置を規定する深さ位置情報に基づいて画像形状処理を施し、上記記録媒体に対して上記２次元記録画像をその記録位置を移動して記録させる２次元記録画像情報を生成し、
上記２次元記録画像情報に基づいて上記２次元記録画像を上記記録媒体に対して上記視差記録画像と合成して上記深さ位置に記録することを特徴とする画像情報記録方法。
【請求項２】
上記記録媒体は、ホログラム記録媒体であることを特徴とする請求項１に記載の画像情報記録方法。
【請求項３】
上記２次元記録画像は、上記視差記録画像の内容紹介や説明の画像又は文字列であることを特徴とする請求項１に記載の画像情報記録方法。
【請求項４】
上記２次元記録画像は、検出手段により記録特性を検出するための画像評価用テストパターンであり、上記検出手段による検出結果に基づいて記録特性の自己診断を行うことを特徴とする請求項１に記載の画像情報記録方法。
【請求項５】
視差画像列撮像装置により撮像した多数の要素視差画像情報に基づく視差画像と、２次元画像情報作成装置により作成した２次元画像情報に基づく２次元画像とを、視差記録画像及び２次元記録画像として記録媒体に合成して記録する画像情報記録装置であり、
上記視差記録画像及び上記２次元記録画像を画像記録基準面からの深さ位置を異にして記録する上記記録媒体と、
上記記録媒体に記録される上記２次元記録画像の上記画像記録基準面からの深さ位置情報を記憶する記録位置記憶手段と、
上記記録位置記憶手段から出力された上記深さ位置情報に基づいて、上記２次元画像情報に対して画像形状処理を施し、上記記録媒体に対して上記２次元記録画像をその記録位置を移動して記録させる２次元記録画像情報を生成する演算手段と、
上記視差記録画像と上記２次元記録画像を上記記録媒体に記録する記録手段とを備え、
上記録媒体には、上記記録手段により上記視差記録画像と合成して、上記演算手段により生成された上記２次元記録画像情報に基づいて上記２次元記録画像が上記深さ位置に記録されることを特徴とする画像情報記録装置。
【請求項６】
上記記録媒体は、ホログラム記録媒体であることを特徴とする請求項５に記載の画像情報記録装置。
【請求項７】
上記２次元記録画像は、上記記録媒体に対して、上記視差記録画像の記録位置と異なる所定の深さ位置に記録されることを特徴とする請求項５に記載の画像情報記録装置。
【請求項８】
上記２次元記録画像は、上記視差記録画像の内容紹介や説明の画像又は文字列であることを特徴とする請求項５に記載の画像情報記録装置。
【請求項９】
上記２次元記録画像が上記記録媒体に記録した記録画像の画像評価用テストパターンであるとともに、
上記記録媒体の任意の深さ位置の記録画像を投影してこの深さ位置に記録された上記記録画像の解像度を測定する光電変換手段を備え、
上記光電変換手段により上記画像評価用テストパターンを投影してその記録特性の検出結果に基づいて上記記録手段の記録動作を制御する自己診断機能を有することを特徴とする請求項５に記載の画像情報記録装置。
【請求項１０】
視差画像列撮像装置により撮像した多数の要素視差画像情報に基づく視差画像と、２次元画像情報作成装置により作成した２次元画像情報に基づく２次元画像とを、視差記録画像及び２次元記録画像としてホログラム記録媒体に合成して記録したホログラフィックステレオグラムであり、
上記２次元記録画像が、上記２次元画像情報に対して上記ホログラム記録媒体の画像記録基準面からの深さ位置を規定する深さ位置情報に基づいて画像形状処理を施して生成した、上記記録媒体に対して上記２次元記録画像をその記録位置を移動して記録させる２次元記録画像情報に基づいて、上記ホログラム記録媒体に上記視差記録画像と合成して上記深さ位置に記録されたことを特徴とするホログラフィックステレオグラム。
【発明の詳細な説明】
【０００１】
【発明の属する分野】
本発明は、画像情報の記録方法及び画像情報記録装置に関し、特に実写画像やコンピュータ生成画像等を３次元認識することができるホログラフィックステレオグラム作製装置やレンチキュラスステレオグラム作製装置等に用いて好適な画像情報の記録方法及び画像情報記録装置に関する。また、本発明は、ホログラフィックステレオグラム作製装置やレンチキュラスステレオグラム作製装置等により作成されるホログラフィックステレオグラムに関する。
【０００２】
【従来の技術】
画像情報等の記録は、２次元画像情報を対象とした平面的な記録が一般的であり、例えば画像に対して陰影等を付けることによって立体感が得られるようにしている。立体画像の記録技術としては、例えばホログラフィックステレオグラム作製装置やレンチキュラスステレオグラム作製装置等により作成されるホログラフィックステレオグラムが知られている。このホログラフィックステレオグラムは、被写体を異なる観察点から順次撮像することにより得られた多数枚の画像（視差画像列）を原画として、これらを１枚のホログラム記録媒体に短冊状又はドット状の要素記録画像として順次記録することにより作成される。
【０００３】
ホログラフィックステレオグラムは、使用者がこれをある位置から片方の目で見た場合に記録画像の一部分の画像情報の集合体である２次元画像が識別されるとともに、この位置から水平に移動した他の位置で見た場合に記録画像の別の部分の画像情報の集合体である２次元画像が識別される。したがって、かかるホログラフィックステレオグラムによれば、使用者がこれを両目で見た場合に左右の目の視差により、記録画像が３次元画像として認識されることになる。
【０００４】
上述したホログラフィックステレオグラムは、例えばレーザ光源から出射されるレーザ光を視差画像列の各画像に基づいて画像変調された物体レーザ光と可干渉性を有する参照レーザ光とに分光し、これら物体レーザ光と参照レーザ光とによって生じる干渉縞を要素記録画像として直接記録媒体に記録するようにしたワンステップ・ホログラフィックステレオグラム作製装置によって作成される。かかるワンステップ・ホログラフィックステレオグラム作製装置は、高精度のホログラフィックステレオグラムを比較的短時間で作成することが可能である。
【０００５】
【発明が解決しようとする課題】
ホログラフィックステレオグラムは、上述したように立体的なホログラム表示画像が得られるために極めて表示効率が大きく、この原理を利用して３次元画像情報を記録媒体に記録するホログラフィックステレオグラム作製装置の開発が進められている。ホログラフィックステレオグラム作製装置においても、一般の画像記録装置と同様に、例えば実写画像とコンピュータグラフィクス画像、或いは複数の画像の合成処理との合成処理が簡易に行うことができるならば、さらにホログラフィックステレオグラムのフィーチャの拡大が図られる。
【０００６】
ホログラフィックステレオグラムは、汎用されるにしたがって、単に３次元画像を表示するばかりでなく、例えば実写画像の撮影日時や場所、撮影者或いはタイトル等の紹介情報やコメント等の適宜の画像も併せて表示したいといった要求がある。しかしながら、従来のホログラフィックステレオグラム作製装置においては、かかる比較的単純な内容の画像についても、３次元画像に合成して記録するために装置が複雑で高価となるばかりかホログラフィックステレオグラムを作成する時間も長くなってしまうといった問題があり、実用化されるに至っていない。
【０００７】
ところで、ワンステップ・ホログラフィックステレオグラム作製装置は、使用する空間光変調素子の種類や画素数、ホログラム記録波長、再生光源の波長分布や発光部の大きさ、光源からホログラム面までの距離や角度等の様々な条件によって、作成されるホログラフィックステレオグラムの再生像の解像度に影響が生じる。従来、ホログラフィックステレオグラムの再生像の解像度を定量的に評価する実用的な方法は提案されていない。
【０００８】
ホログラフィックステレオグラム作製装置において、記録される立体画像の解像度評価を行うために、適当なテストチャートを用いてホログラフィックステレオグラムを作成することが考慮される。テストチャートとしては、例えばコンピュータグラフィックスのレンダリング法を利用することによって、ある奥行きに平面の解像力チャートを有するものが作成可能である。しかしながら、かかる方法によれば、解像力が高いテストチャートを作成するためには莫大な処理時間が必要となるために、充分な解像力を有するテストチャートの作成が困難である。
【０００９】
一方、ホログラフィックステレオグラムは、一般に数百枚の視差画像列に基づいて作成されるが、各要素視差画像を１枚露光する毎にレンダリング処理を施すことになると莫大な処理時間が必要となる。これを解決するためには、例えば数百枚の視差画像列についてそれぞれ露光用画像を生成してこれを記憶装置に一時記憶する必要があるが、大容量の記憶装置を必要とするとともに処理時間も莫大となって実用的では無い。
【００１０】
本発明は、簡易な方法によって２次元記録画像が記録媒体の任意の深さ位置に記録されることにより、例えば３次元記録画像が記録されるホログラフィックステレオグラムを作成するホログラフィックステレオグラム作製装置等に用いて好適な画像情報の記録方法及び画像情報記録装置を提供することを目的に提案されたものである。また、本発明は、簡易な方法によって視差画像とともに２次元記録画像をホログラム記録媒体に対して任意の深さ位置に記録したホログラフィックステレオグラムを提供することを目的に提案されたものである。
【００１１】
【課題を解決するための手段】
この目的を達成する本発明にかかる画像情報記録方法は、視差画像列撮像装置により撮像した多数の要素視差画像情報に基づく視差画像と、２次元画像情報作成装置により作成した２次元画像情報に基づく２次元画像とを、視差記録画像及び２次元記録画像として記録媒体に合成して記録する。画像情報記録方法は、２次元画像情報に対して、記録媒体の画像記録基準面からの深さ位置を規定する深さ位置情報に基づいて画像形状処理を施し、記録媒体に対して２次元記録画像をその記録位置を移動して記録させる２次元記録画像情報を生成する。画像情報記録方法は、２次元記録画像情報に基づいて２次元記録画像を、記録媒体に対して視差記録画像と合成して所定の深さ位置に記録する。
【００１２】
上述した本発明にかかる画像情報記録方法によれば、２次元記録画像を記録媒体の所定の深さ位置に所定の形状で記録するための画像形状処理が極めて簡易にかつ比較的小型の処理装置によって行われることから、画像記録装置の小型化と処理時間の短縮が図られるとともに、記録されるべき深さ位置に基づく正確な形状の２次元記録画像が記録されることにより表示効果の向上が図られる。
【００１３】
また、画像情報記録方法によれば、例えば記録媒体としてホログラム記録媒体を用い、視差画像情報列に基づく視差記録画像とともに、別工程により作成した例えば視差記録画像の内容紹介や説明の画像或いは文章等の文字列からなる２次元記録画像を極めて簡易にかつ迅速に合成してホログラム記録媒体に記録することが可能であるから、より表示効果が高くかつ利用目的が拡大されたホログラフィックステレオグラムを作成することが可能である。
【００１４】
上述した目的を達成する本発明にかかる画像情報記録装置は、視差画像列撮像装置により撮像した多数の要素視差画像情報に基づく視差画像と、２次元画像情報作成装置により作成した２次元画像情報に基づく２次元画像とを、視差記録画像及び２次元記録画像として記録媒体に合成して記録する。画像情報記録装置は、視差記録画像及び２次元記録画像を画像記録基準面からの深さ位置を異にして記録する記録媒体と、この記録媒体に記録される２次元記録画像の画像記録基準面からの深さ位置情報を記憶する記録位置記憶手段と、この記録位置記憶手段から出力された深さ位置情報に基づいて２次元画像情報に対して画像形状処理を施すことにより記録媒体に対して２次元記録画像をその記録位置を移動して記録させる２次元記録画像情報を生成する演算手段と、視差記録画像と２次元記録画像を記録媒体に記録する記録手段とを備えて構成される。
【００１５】
以上のように構成された上述した本発明にかかる画像情報記録装置によれば、比較的小容量の演算手段によって２次元記録画像を記録媒体の所定の深さ位置に記録するための画像形状処理が迅速に行われることから、装置全体の小型化と処理時間の短縮が図られるとともに、記録されるべき深さ位置に基づく正確な形状の２次元記録画像が記録されることにより表示効果の向上が図られた記録媒体が作成される。また、画像情報記録装置は、２次元記録画像を極めて簡易にかつ迅速に視差画像情報列に基づく視差記録画像と合成して記録することが可能であることから、例えば記録媒体としてホログラム記録媒体を用いることによってより表示効果が高くかつ利用目的が拡大されたホログラフィックステレオグラムを作成することが可能である。
【００１６】
上述した目的を達成する本発明にかかるホログラフィックステレオグラムは、視差画像列撮像装置により撮像した多数の要素視差画像情報に基づく視差画像と、２次元画像情報作成装置により作成した２次元画像情報に基づく２次元画像とを、視差記録画像及び２次元記録画像としてホログラム記録媒体に合成して記録する。ホログラフィックステレオグラムは、２次元記録画像が、２次元画像情報に対してホログラム記録媒体の画像記録基準面からの深さ位置を規定する深さ位置情報に基づいて画像形状処理を施して生成した２次元記録画像情報に基づいて記録される。ホログラフィックステレオグラムは、２次元記録画像情報が記録媒体に対して２次元記録画像をその記録位置を移動して記録させる情報であり、２次元記録画像がホログラム記録媒体に視差記録画像と合成されて所定の深さ位置に記録される。
【００１７】
以上のように構成された上述した本発明にかかるホログラフィックステレオグラムによれば、比較的小容量の演算手段を有するとともに２次元記録画像を記録媒体の所定の深さ位置に記録するための画像形状処理が迅速に行われる小型化と処理時間の短縮が図られた画像情報記録装置が用いられて、ホログラム記録媒体に対して２次元記録画像が視差画像情報列に基づく視差記録画像と合成して所定の深さ位置に正確な形状で記録されることから、表示効果が高くかつ利用目的の拡大が図られる。
【００１８】
【発明の実施の形態】
以下、本発明の実施の形態について図面を参照して詳細に説明する。実施の形態として示すホログラフィックステレオグラム作製装置１０は、後述するようにレーザ光源１６から出射したレーザ光Ｌ１を分光した参照レーザ光Ｌ３と露光用画像Ｇ４に基づいて画像変調した物体レーザ光Ｌ２とをホログラム記録媒体４に入射してその干渉縞を横方向（視差方向）に順次露光することにより短冊状の要素ホログラム記録画像ｆ１を記録して横方向の視差を有するホログラム記録画像（視差記録画像）Ｆ１が構成されたホログラフィックステレオグラム５を作成する、いわゆるワンステップ・ホログラフィックステレオグラム作製装置である。ホログラフィックステレオグラム５には、ホログラム記録画像Ｆ１の一部に２次元記録画像Ｆ２が記録される。ホログラフィックステレオグラム作製装置１０は、図１に示すように、視差画像列撮像装置１や画像情報生成用コンピュータ２或いは２次元画像情報作成装置３から供給される視差画像データ情報Ｄ１，コンピュータ画像データ情報Ｄ２，２次元画像情報Ｄ３を処理する画像情報処理部１１と、制御部１２と、ホログラム記録媒体４に画像記録を行うプリンタ部１３とを備えて構成される。なお、以下の説明において、各種データ情報については、単に情報と略称する。
【００１９】
ホログラム記録媒体４には、図２（Ａ）に示すように、テープ状のフィルムベース材６上に光重合型フォトポリマからなるフォトポリマ層７が形成されるとともに、このフォトポリマ層７上にカバーシート層８が被着形成された、いわゆる塗布型フィルム状記録媒体が用いられる。勿論、ホログラム記録媒体４には、層構成を異にするその他の適宜の感光フィルム等を用いてもよい。
【００２０】
以下、図２（Ｂ）乃至図２（Ｄ）を参照して、このホログラム記録媒体４に対するホログラム記録画像Ｆ１の記録原理を説明する。ホログラム記録媒体４は、同図（Ｂ）に示すように初期状態においては、そのフォトポリマ層７を構成する光重合型フォトポリマが、マトリクスポリマ中にモノマＭが均一に分散している状態にある。
【００２１】
光重合型フォトポリマは、１０ｍＪ／ｃｍ２乃至４００ｍＪ／ｃｍ２  のパワーのレーザ光ＬＡが照射されることによって、同図（Ｃ）に示すように、露光部においてマトリクスポリマ中に均一に分散していたモノマＭが重合してポリマ化した状態となる。光重合型フォトポリマは、ポリマ化によるモノマＭの周囲からの移動によってこのモノマＭの濃度が不均一になることから、露光部と未露光部とで屈折率の変調が生じる。
【００２２】
光重合型フォトポリマは、この後同図（Ｄ）に示すように、１０００ｍＪ／ｃｍ２  程度のパワーの紫外線又は可視光ＬＢが全面に照射されることによって、マトリクスポリマ中においてモノマＭの重合が完了する。ホログラム記録媒体４は、このようにフォトポリマ層７を構成する光重合型フォトポリマが、入射されたレーザ光ＬＡに応じて屈折率が変化することから、後述するように物体レーザ光Ｌ２と参照レーザ光Ｌ３との干渉によって生じる干渉縞を屈折率の変化として記録する。
【００２３】
ホログラフィックステレオグラム作製装置１０は、ホログラム記録媒体４として上述した光重合型フォトポリマによってフォトポリマ層７を構成した塗布型フィルム状記録媒体を用いたことにより、ホログラム記録画像Ｆ１及び２次元記録画像Ｆ２を露光記録した後に、このホログラム記録媒体４に特別な現像処理を施す工程が不要とされる。したがって、ホログラフィックステレオグラム作製装置１０は、現像装置等が不要とされることによってその構成が簡易化されるとともにホログラフィックステレオグラム５を迅速に作成することが可能とされる。
【００２４】
ホログラフィックステレオグラム作製装置１０の画像情報処理部１１は、演算手段と記憶手段とを構成し、詳細を省略するが画像処理用コンピュータや記憶装置を備えている。画像情報処理部１１には、多眼式カメラや移動式カメラ等の視差画像列撮像装置１によって撮像された多数の視差情報を含む要素視差画像ｇ１（ｇ１１，・・・，ｇ１ｍ）からなる視差画像列Ｇ１に基づく視差画像情報Ｄ１が供給される。また、画像情報処理部１１には、画像情報生成用コンピュータ２によって生成された視差情報を含む要素コンピュータ画像ｇ２（ｇ２１，・・・，ｇ２ｍ）からなるコンピュータ画像列Ｇ２に基づくコンピュータ画像情報Ｄ２が供給される。さらに、画像情報処理部１１には、適宜の２次元画像情報作成装置３によって作成された２次元画像Ｇ３に基づく２次元画像情報Ｄ３が供給される。
【００２５】
画像情報処理部１１は、視差画像情報Ｄ１の各要素視差画像情報ｄ１やコンピュータ画像情報Ｄ２の各要素コンピュータ画像情報ｄ２を対象として、これらに適宜の画像データ処理や合成処理等を施して多数の要素露光用画像情報ｄ４（ｄ４１，・・・，ｄ４ｎ）からなる露光用画像情報Ｄ４を生成する。また、画像情報処理部１１は、２次元画像情報Ｄ３に対して詳細を後述するビットマップデータ処理を施して２次元露光用画像情報Ｄ５を生成する。
【００２６】
画像情報処理部１１は、露光用画像情報Ｄ４をコンピュータのメモリーやハードディスク装置等からなる記憶装置に一時格納する。視差画像情報Ｄ１は、例えば多眼式カメラによる同時撮像或いは移動式カメラによって後述する方法で被写体Ｐを一定ピッチで撮像して得た多数の要素視差画像ｇ１からなる視差画像列Ｇ１に基づく画像情報であり、各要素視差画像ｇ１に対応して視差情報を含む多数の要素視差画像情報ｄ１（ｄ１１，・・・，ｄ１ｍ）からなる。
【００２７】
また、コンピュータ画像情報Ｄ２は、例えば、ＣＡＤ装置（Ｃｏｍｐｕｔｅｒ  Ａｉｄｅｄ  Ｄｅｓｉｇｎ）やＣＧ装置（Ｃｏｍｐｕｔｅｒ  Ｇｒａｐｈｉｃｓ）等の画像情報生成用コンピュータ２によって作成されたコンピュータ画像列Ｇ２に基づく画像情報であり、各要素コンピュータ画像ｇ２に対応して視差情報を含む多数の要素コンピュータ画像情報ｄ２（ｄ２１，・・・，ｄ２ｍ）からなる。２次元画像情報Ｄ３は、例えばワードプロセッサやホント作成装置等の２次元画像情報作成装置によって作成された所定の表示を行う文字列情報や画像情報からなる２次元画像Ｇ３に基づく画像情報である。２次元画像Ｇ３は、例えば視差画像列Ｇ１の撮影日時や場所或いはその内容等を紹介する文字画像列、コンピュータ画像列Ｇ２の内容を説明する文字画像列、さらには詳細を後述するようにこのホログラフィックステレオグラム作製装置１０を評価するためのテストパターン画像等からなる。
【００２８】
画像情報処理部１１は、後述するようにホログラム記録媒体４にホログラム記録画像Ｆ１を露光記録する際に、記憶装置に格納された露光用画像情報Ｄ４をプリンタ部１３に送出する。また、画像情報処理部１１は、図１に示すように、露光用画像情報Ｄ４の読み出しに応じてタイミング信号Ｓ１を制御部１２へと送出する。なお、画像情報処理部１１における、視差画像情報Ｄ１やコンピュータ画像情報Ｄ２或いは２次元画像情報Ｄ３の画像情報処理の詳細については、後述する。
【００２９】
制御部１２は、詳細を省略するが制御用コンピュータを備えている。制御部１２は、画像情報処理部１１から送出されたタイミング信号Ｓ１に基づいて、図１に示すように、プリンタ部１３の動作を制御する制御出力Ｓ２を送出する。プリンタ部１３は、後述するホログラム記録媒体４に対する露光用画像情報Ｄ４の各要素露光用画像情報ｄ４（ｄ４１，・・・，ｄ４ｎ）に基づいて記録されるホログラム記録画像Ｆ１の各要素ホログラム記録画像ｆ１（ｆ１１，・・・，ｆ１ｎ）の記録動作が終了すると、同図に示すように制御部１２へタイミング信号Ｓ３を送出する。制御部１２は、このタイミング信号Ｓ３に基づいて画像情報処理部１１へと出力信号Ｓ４を送出する。画像情報処理部１１は、この出力信号Ｓ４に基づいて、露光用画像情報Ｄ４の中から次の要素露光用画像情報ｄ４の読み出しを行う。ホログラフィックステレオグラム作製装置１０は、以下この動作が繰り返されることによって、ホログラム記録媒体４に要素露光用画像情報ｄ４に基づいた短冊状の要素ホログラム記録画像ｆ１を横方向に順次露光記録する。
【００３０】
プリンタ部１３は、レーザ光源１６から出射されたレーザ光Ｌ１を物体レーザ光Ｌ２と参照レーザ光Ｌ３とに分光して露光用画像情報Ｄ４に基づく露光用画像Ｇ４を後述する液晶表示器２４に表示させ、参照レーザ光Ｌ３と液晶表示器２４を透過して露光用画像Ｇ４によって画像変調された物体レーザ光Ｌ２との干渉縞をホログラム記録画像Ｆ１としてホログラム記録媒体４に露光記録する図３に示す光学系１４を備えている。また、プリンタ部１３は、露光用画像情報Ｄ４に基づいてホログラム記録画像Ｆ１の各要素ホログラム記録画像ｆ１を露光記録する毎に、ホログラム記録媒体４を所定量間欠的に走行させる図４に示す記録媒体送り機構１５等を備えている。
【００３１】
なお、プリンタ部１３は、構成各部材等が支持基板に搭載されるとともに、この支持基板をダンパ等の防振機構によって支持している。さらに、プリンタ部１３は、感光フィルムからなるホログラム記録媒体４を用いることから、少なくとも光学系１４を遮光部として構成する装置筐体を備えている。
【００３２】
光学系１４は、図３に示すように、入射レーザ光学系１４Ａと、物体レーザ光学系１４Ｂ及び参照レーザ光学系１４Ｃとから構成されている。物体レーザ光学系１４Ｂと参照レーザ光学系１４Ｃとは、後述するように物体レーザ光Ｌ２と参照レーザ光Ｌ３との干渉性を高めて明るくかつ高画質のホログラフィックステレオグラム５を作成するために、その光路長がほぼ同一となるように構成されている。
【００３３】
入射レーザ光学系１４Ａは、レーザ光Ｌ１を出射するレーザ光源１６と、シャッタ機構１７と、レーザ光Ｌ１を屈折反射させる全反射ミラー１８及びレーザ光Ｌ１を分光するハーフミラー１９等の光学部品、機構によって構成されている。勿論、入射レーザ光学系１４Ａには、適当な光路を構成するために反射ミラー等を介挿してレーザ光Ｌ１をさらに適宜屈折反射させるようにしてもよい。
【００３４】
レーザ光源１６は、例えば単一波長でかつ干渉性の良いレーザ光Ｌ１を出射する半導体励起ＹＡＧレーザ装置や、空冷アルゴンガスレーザ装置、空冷クリプトンレーザ装置等のレーザ装置によって構成される。レーザ光源１６には、図示しないが高温となるレーザヘッド部を適宜冷却するヒートシンク機構が付設されている。シャッタ機構１７は、露光用画像情報Ｄ４の読み出しに応じて送出される画像情報処理部１１からのタイミング信号Ｓ１に基づいて制御部１２から出力された制御出力Ｓ２によって開放動作されて、レーザ光源１６から出力されるレーザ光Ｌ１をハーフミラー１９に入射させる。ハーフミラー１９は、入射されたレーザ光Ｌ１を、透過成分の物体レーザ光Ｌ２と可干渉性を有する反射成分の参照レーザ光Ｌ３とに分光する。物体レーザ光Ｌ２と参照レーザ光Ｌ３とは、物体レーザ光学系１４Ｂと参照レーザ光学系１４Ｃとにそれぞれ入射される。
【００３５】
なお、シャッタ機構１７については、例えばホログラム記録媒体４に対して物体レーザ光Ｌ２と参照レーザ光Ｌ３とが入射される直前に位置してそれぞれ配設された一対の短冊状シャッタ片及びこれらシャッタ片を一体的に駆動する駆動部とによって構成するようにしてもよい。かかるシャッタ機構は、光学系１４に対してレーザ光が常時入射された状態となることから、記録動作毎にレーザ光源１６からのレーザ光Ｌ１を光学系１４に入射される上述したシャッタ機構１７の構成と比較して構成各光学部品の熱変形が防止されるといった特徴がある。
【００３６】
したがって、光学系は、かかるシャッタ機構を備えることによって構成各光学部品が安定した状態に保持されて安定した状態の物体レーザ光Ｌ２及び参照レーザ光Ｌ３とをホログラム記録媒体４に入射するようにして、良好な状態の干渉縞をホログラム記録媒体４に露光記録することが可能となる。これによって、作成されるホログラフィクステレオグラム５は、回折効率に優れ、明るくかつ画質の向上が図られる。
【００３７】
また、シャッタ機構については、シャッタ片が機械的に駆動されるものばかりでなく、例えば音響光学変調器（ＡＯＭ：ａｃｏｕｓｔｏ−ｏｐｔｉｃ  Ｍｏｄｕｌａｔｉｏｎ）を用いた電子シャッタによって構成してもよい。シャッタ機構は、要するにホログラム記録媒体４に対してレーザ光Ｌ１或いは物体レーザ光Ｌ２，参照レーザ光Ｌ３を遮蔽可能とする開閉自在なものであれば良い。
【００３８】
物体レーザ光学系１４Ｂは、具体的には、光軸に沿ってその入力側からそれぞれ順に配列された、全反射ミラー２０と、第１のシリンドリカルレンズ２１と、コリメータレンズ２２及び第２のシリンドリカルレンズ２３等の光学部品によって構成される。また、物体レーザ光学系１４Ｂには、コリメータレンズ２２と第２のシリンドリカルレンズ２３との間に位置して透過型の液晶表示器２４が配設されるとともに、第２のシリンドリカルレンズ２３の出射端にホログラム記録媒体４が配置されている。
【００３９】
全反射ミラー２０は、ハーフミラー１９を透過した物体レーザ光Ｌ２を屈折反射させて第１のシリンドリカルレンズ２１に入射させる。第１のシリンドリカルレンズ２１は、凸レンズとピンホールとが組み合わされてなり、物体レーザ光Ｌ２を液晶表示器２４のスクリーン面幅ｌｓに対応して点光源からの拡散光として一次元方向に拡散させる。コリメータレンズ２２は、第１のシリンドリカルレンズ２１によって拡散光とされた物体レーザ光Ｌ２を平行レーザ光化して液晶表示器２４へと入射させる。物体レーザ光Ｌ２は、液晶表示器２４を透過する際に露光用画像情報Ｄ４に基づいてスクリーン面に表示された露光用画像Ｇ４によって画像変調されて第２のシリンドリカルレンズ２３に入射される。
【００４０】
第２のシリンドリカルレンズ２３は、平行レーザ光化されるとともに画像変調された物体レーザ光Ｌ２を、図３（Ｂ）に示すように横方向（視差方向）に対して集光してホログラム記録媒体４に入射させる。物体レーザ光Ｌ２は、露光用画像Ｇ４に基づいてホログラム記録媒体４の所定の領域を短冊状に露光してホログラム記録画像Ｆ１を露光記録する。
【００４１】
なお、物体レーザ光学系１４Ｂについては、上述した光学回路の構成に限定されるものではなく、例えば液晶表示器２４と第２のシリンドリカルレンズ２３との間に位置して投射レンズを配設して物体レーザ光Ｌ２を第２のシリンドリカルレンズ２３に入射させるようにしてもよい。
【００４２】
また、物体レーザ光学系１４Ｂは、ノイズ成分を除去してホログラフィックステレオグラム５の画質を向上させる光学フィルタ及びマスク部材とを光路中に配設して構成してもよい。光学フィルタは、例えば光拡散板によって構成され、物体レーザ光Ｌ２の光強度分布を一定状態とする。また、マスク部材は、ホログラム記録媒体４に露光記録される要素ホログラム記録画像ｆ１の形状に対応した短冊状のスリットを有し、このスリットを通過した物体レーザ光Ｌ２がホログラム記録媒体４に入射されるようにする。物体レーザ光学系１４Ｂは、かかるマスク部材を備えることにより、拡散板によって拡散された物体レーザ光Ｌ２の余分な部分が遮蔽されて高画質のホログラフィックステレオグラム５が作成されるようにする。
【００４３】
さらに、物体レーザ光学系１４Ｂには、ホログラフィックステレオグラム５に縦方向の視野角を付与するために、光路中に１次拡散板とルーバーフィルムとを配設して構成してもよい。１次拡散板は、物体レーザ光Ｌ２をホログラム記録媒体４に露光記録されるホログラム記録画像Ｆ１の長軸方向に拡散して縦方向の視野角を付与するように作用する。ルーバーフィルムは、１次拡散板とホログラム記録媒体４との間に配設された微細な簾状の格子を有するフィルム体からなり、ホログラム記録媒体４を透過した参照レーザ光Ｌ３が１次拡散板２によって反射されて再びホログラム記録媒体４に入射されるのを防止するように作用する。
【００４４】
液晶表示器２４には、上述したように画像情報処理部１１から送出される露光用画像情報Ｄ４に基づいて生成される露光用画像Ｇ４の各要素露光用画像ｇ４が順次表示される。液晶表示器２４は、透過する物体レーザ光Ｌ２を、表示した露光用画像Ｇ４に基づいて画像変調させる。
【００４５】
参照レーザ光学系１４Ｃは、具体的には、光軸に沿ってその入力側からそれぞれ順に配列されたシリンドリカルレンズ２５と、コリメータレンズ２６と、全反射ミラー２７とから構成される。勿論、参照レーザ光学系１４Ｃについても、上述した光学部品に限定されるものではなく、例えば物体レーザ光学系１４Ｂと光路長を一致させるために、反射ミラー等の光学部品を光路中に適宜配設して構成してもよい。
【００４６】
シリンドリカルレンズ２５は、上述した物体レーザ光学系１４Ｂの第１のシリンドリカルレンズ２１と同様に、凸レンズとピンホールとが組み合わされてなり、ハーフミラー１９によって屈折分光された参照レーザ光Ｌ３を液晶表示器２４のスクリーン面幅ｌｓに対応して点光源からの拡散光として一次元方向に拡散させる。コリメータレンズ２６は、シリンドリカルレンズ２５によって拡散された参照レーザ光Ｌ３を平行レーザ光化する。全反射ミラー２７は、参照レーザ光Ｌ３を屈折反射させて、物体レーザ光Ｌ２の入射位置と対向するホログラム記録媒体４の後方へと導く。
【００４７】
以上のように構成された光学系１４は、露光用画像情報Ｄ４の出力タイミングに応じてシャッタ機構１７が開放動作されて、レーザ光源１６から出射されるレーザ光Ｌ１が入射レーザ光学系１４Ａに入射される。レーザ光Ｌ１は、全反射ミラー１８によって屈折反射されてハーフミラー１９に入射されることによって、物体レーザ光Ｌ２と参照レーザ光Ｌ３とに分光される。
【００４８】
物体レーザ光Ｌ２は、物体レーザ光学系１４Ｂにおいて露光用画像情報Ｄ４の各要素露光用画像情報ｄ４に基づいて表示される露光用画像Ｇ４の各要素露光用画像ｇ４によって画像変調されてホログラム記録媒体４に入射される。参照レーザ光Ｌ３は、参照レーザ光学系１４Ｃを介してホログラム記録媒体４に入射される。物体レーザ光Ｌ２と参照レーザ光Ｌ３とは、ホログラム記録媒体４上において互いに干渉し、この干渉によって生じる干渉縞が屈折率の変化としてフォトポリマ層７に露光記録される。したがって、ホログラム記録媒体４には、要素露光用画像ｇ４に基づく物体レーザ光Ｌ２と参照レーザ光Ｌ３との干渉縞からなる要素ホログラム記録画像ｆ１が横方向に順次露光記録される。
【００４９】
ホログラム記録媒体４は、要素ホログラム記録画像ｆ１の露光記録が行われると、制御部１２から送出される制御出力Ｓ２によって動作される記録媒体送り機構１５により１要素ホログラム分だけ間欠送りされる。記録媒体送り機構１５は、図４に示すように、フィルムカートリッジ２８内に回転自在に備えられるとともにホログラム記録媒体４を巻回した供給ローラ２９と、フィルムカートリッジ２８から繰り出されたホログラム記録媒体４を間欠的に走行させる駆動ローラ３０と、ホログラム記録媒体４に所定の走行テンションを付与する図示しないトーションスプリング等によって構成されている。
【００５０】
記録媒体送り機構１５は、供給ローラ２９と駆動ローラ３０とにより、ホログラム記録媒体４の感光面、すなわちホログラフィックステレオグラム５のホログラム面５ａを物体レーザ光学系１４Ｂと参照レーザ光学系１４Ｃの光軸に対してそれぞれ垂直となるように支持している。また、記録媒体送り機構１５は、駆動ローラ３０が図示しない駆動用のステッピングモータによって間欠的に回転駆動される。ステッピングモータは、制御部１２から送出される制御出力Ｓ２によって１要素ホログラム記録画像ｆ１分の露光終了毎に所定角度だけ回転駆動される。したがって、ホログラム記録媒体４には、このステッピングモータによって回転駆動される駆動ローラ３０を介して１要素ホログラム記録画像ｆ１の露光記録毎に間欠的に走行駆動されることにより物体レーザ光Ｌ２と参照レーザ光Ｌ３との干渉縞による要素ホログラム記録画像ｆ１が横方向に連続して順次露光記録される。
【００５１】
ホログラフィックステレオグラム作製装置１０には、図４に示すように、記録媒体送り機構１５の後段に位置してホログラム記録媒体４の走行路に沿って紫外線照射装置３１が配設されている。紫外線照射装置３１は、物体レーザ光Ｌ２と参照レーザ光Ｌ３との干渉縞によってホログラム記録画像Ｆ１が露光記録されたホログラム記録媒体４に対して、１０００ｍＪ／ｃｍ２  程度のパワーの紫外線ＬＢを照射することにより、上述したようにフォトポリマ層７のマトリクスポリマ中においてモノマＭの重合を完了させる。
【００５２】
また、ホログラフィックステレオグラム作製装置１０には、紫外線照射装置３１の後段に位置して、ホログラム記録媒体４の走行路に沿って内部にヒータ３３が備えられたヒートローラ３２と、一対の排出用送りローラ３４及びカッター機構３５とが順次配設されている。ヒートローラ３２は、その外周部にホログラム記録媒体４を約半周の巻付角を以って掛け合わせて走行させる。また、ヒートローラ３２は、ヒータ３３によって約１２０℃程度の温度に保持されることにより、ホログラム記録媒体４を加熱してそのフォトポリマ層７の屈折率変調度を増加させる。
【００５３】
排出用送りローラ３４は、制御部１２から送出される制御出力Ｓ２によって、上述した記録媒体送り機構１５の駆動ローラ３０と同期して回転駆動される。排出用送りローラ３４は、ホログラム記録媒体４を１つの要素ホログラム記録画像ｆ１の露光記録毎に間欠的に送り出す。したがって、ホログラム記録媒体４は、これら排出用送りローラ３４と駆動ローラ３０との間において撓むことなくヒートローラ３２の外周部に密着した状態で走行されることにより均一な加熱が行われる。
【００５４】
カッター機構３５は、制御部１２から送出される制御出力Ｓ２によって駆動され、走行するホログラム記録媒体４を一定長さ、すなわちホログラム記録媒体４に視差画像列Ｇ１の各要素視差画像ｇ１に基づく全ての要素ホログラム記録画像ｆ１からなるホログラム記録画像Ｆ１及び２次元記録画像Ｆ２が露光記録されるとともにこの記録部分が外部に排出された状態において所定の長さに切断してホログラフィックステレオグラム５を作成する。
【００５５】
なお、記録媒体送り機構１５については、供給ローラ２９と駆動ローラ３０及び排出用送りローラ３４のローラに限定されるものではない。記録媒体送り機構１５としては、例えばフィルム体に一定ピッチでパーホレーションを形成するとともにこれらパーホレーションに相対係合する送り爪を有するスプロケットからなる送り機構や、間欠的に揺動動作するレバー送り機構等からなる従来周知のフィルム体の送り機構を適宜採用してもよい。
【００５６】
ホログラム記録媒体４は、記録媒体送り機構１５によって間欠的に走行駆動される際に、振動が生じる。このホログラム記録媒体４の振動は、物体レーザ光Ｌ２と参照レーザ光Ｌ３とによる干渉縞を不安定な状態としてホログラフィックステレオグラム５の回折効率、画質を低下させる。したがって、ホログラフィックステレオグラム作製装置１０においては、上述した各要素ホログラム記録画像ｆ１の記録動作が、ホログラム記録媒体４を走行駆動させた後にやや時間をおいて振動が治まった状態で行われるように構成されている。
【００５７】
なお、ホログラフィックステレオグラム作製装置１０は、ホログラム記録媒体４の振動を抑制するために、上述した１次拡散板とルーバーフィルムとを利用して、これら部材をホログラム記録媒体４に押し付けるように構成してもよい。勿論、振動抑制機構としては、ホログラム記録媒体４の走行動作に影響を及ぼさないようなテンションローラを付設したり、一対のローラ等によってホログラム記録媒体４を挟み込んで保持する等の適宜の機構によって構成してもよい。
【００５８】
また、ホログラフィックステレオグラム作製装置１０には、図示しないが振動等によって良好な状態のホログラフィックステレオグラム５が作成されない虞が生じた場合に、ホログラム記録媒体４に対するホログラム記録画像Ｆ１の露光記録を停止させる干渉縞検出部を備えてもよい。この干渉縞検出部は、例えばＣＣＤカメラによって構成され、ホログラム記録媒体４のホログラム記録画像Ｆ１の形成領域と異にする検出領域に露光形成される干渉縞の状態を検出する。干渉縞検出部は、検出領域に所定値以上の揺らぎ状態の干渉縞の出現を検出したときには、制御部１２に対して検出出力を送出する。制御部１２は、この検出出力に基づいてプリンタ部１３に対してホログラム記録媒体４への要素ホログラム記録画像ｆ１の記録動作を停止させる制御出力を送出する。
【００５９】
ホログラフィックステレオグラム作製装置１０は、かかる干渉縞検出部を備えるにより、物体レーザ光Ｌ２と参照レーザ光Ｌ３とによる安定した干渉縞によりホログラム記録媒体４にホログラム記録画像Ｆ１を露光記録されることを可能として回折効率が高く、高画質のホログラフィックステレオグラム５が作成される。なお、干渉縞検出部は、例えばミラー等を用いて物体レーザ光Ｌ２と参照レーザ光Ｌ３の一部を別の位置へと導いて干渉縞を形成するようにして、この干渉縞を検出するように構成してもよい。また、干渉縞検出部は、ハーフミラー等を用いて物体レーザ光Ｌ２と参照レーザ光Ｌ３とを分光した検出レーザ光によって干渉縞を形成し、この干渉縞を検出するように構成してもよい。さらに、干渉縞検出部は、レーザ光源１６から出射されたレーザ光Ｌ１の一部を直接取り出して振動検出用の干渉縞を形成し、この干渉縞を検出するように構成してもよい。
【００６０】
上述したようにホログラフィックステレオグラム作製装置１０には、画像情報処理部１１に、多眼式カメラや移動式カメラ等からなる視差画像列撮像装置１によって撮像された視差画像列Ｇ１に基づく視差画像情報Ｄ１や画像データ生成用コンピュータ２によって生成されたコンピュータ画像列Ｇ２に基づくコンピュータ画像情報Ｄ２或いは２次元画像情報作成装置３によって作成された２次元画像Ｇ３に基づく２次元画像情報Ｄ３が供給される。
【００６１】
視差画像情報Ｄ１は、例えば図５に示すように、被写体Ｐを固定した状態に保持して載置し、この被写体Ｐに対してＣＣＤカメラ（視差画像列撮像装置）１を平行に移動させながら画角θｃで順次撮像を行うようにした撮像方法、いわゆるｓｔｒａｉｇｈｔ  ｔｒａｃｋ撮像法によって作成される。この場合、ＣＣＤカメラ１は、ファインダ内にホログラフィックステレオグラム５の幅ｌｅをカバーするに足る移動距離（視差画像撮像幅）ｌｃの範囲で移動され、移動方向に対して等間隔で位置をずらして被写体Ｐを５００枚乃至１０００枚程度撮影する。これらの撮像画像は、被写体Ｐについて横方向の視差を有する複数の要素視差画像ｇ１からなる視差画像列Ｇ１を構成し、また複数の要素視差画像情報ｄ１からなる視差画像情報Ｄ１を構成する。
【００６２】
視差画像情報Ｄ１は、例えばＮＴＳＣ方式のビデオ信号として画像情報処理部１１に供給されて画像データ情報として読み込まれる。したがって、視差画像列撮像装置１は、感光部に電荷結合素子（ＣＣＤ素子）が用いられた上述したＣＣＤカメラやビデオカメラ等のように、撮像画像が画像データ情報として直接出力される撮像装置が好ましい。勿論。視差画像列撮像装置１は、感光フィルムを用いたカメラであってもよいが、この場合には感光フィルム上に記録された撮像画像を画像読取装置等を介して画像データ情報に変換する必要がある。
【００６３】
また、視差画像列の撮像方法としては、図６に示すように、ＣＣＤカメラ１を被写体Ｐに対して平行に移動させながら撮像するが、撮像する位置毎にレンズＰＬのあおり操作を行って焦点を合わされた被写体Ｐをファインダの中心に合わせて撮像する、いわゆるｒｅ−ｃｅｎｔｅｒｉｎｇ方法も知られている。このｒｅ−ｃｅｎｔｅｒｉｎｇ撮像法においては、カメラ画角θｃを上述した光学系１４のシリンドリカルレンズ２３による要素ホログラム記録画像ｆ１の露光角と一致させる必要は無く、比較的小さな画角で被写体Ｐの撮像を効率良く行うことができる。そして、かかるｒｅ−ｃｅｎｔｅｒｉｎｇ撮像法は、広角レンズを用いた撮像の際に生じる画像歪みの影響も無く、また撮像画像の視差方向の有効解像度を高くすることができるといった特徴がある。
【００６４】
ところで、上述したホログラフィックステレオグラム作製装置１０によって作成された白色光再生用のホログラフィックステレオグラム５においては、観察視点がそのホログラム面５ａから遠ざかるにしたがって再生画像４０に次第に歪みが生じるといった現象が発生する。また、白色光再生用のホログラフィックステレオグラム５は、再生画像４０がホログラム面５ａの近傍に定位するほどぼけが少ない。上述した歪み現象は、図７に示すように視差画像列Ｇ１を撮像する際の視差画像列撮像装置１の撮像点と被写体Ｐとの位置関係、すなわち撮像距離ｄｆが、ホログラフィックステレオグラム作製装置１０によって作成されたホログラフィックステレオグラム５の再生画像４０についても維持されることから、この撮像点と観察視点とのズレに起因する。
【００６５】
すなわち、ホログラフィックステレオグラム５においては、視差画像列Ｇ１に基づく視差画像情報Ｄ１が後述する視点変換処理を施さずに露光用画像情報Ｄ４としてプリンタ部１３にそのまま供給されて露光用画像Ｇ４を生成し、この露光用画像Ｇ４によりホログラム記録媒体４にホログラム記録画像Ｆ１が露光記録して形成された場合、図７（Ａ）に示すように、ホログラム面５ａに対して再生画像４０が撮像距離ｄｆ分ずれた奥の位置に結像した状態となる。したがって、ホログラフィックステレオグラム５は、再生画像４０に空間的歪みやぼやけが生ぜず、良好な状態の再生画像４０を得るためには、同図に示すようにホログラム面５ａに目をつけることによって視点距離ｄｖを視差画像列Ｇ１の撮像距離ｄｆと一致させた状態で使用しなければならず実用的でない。
【００６６】
ホログラフィックステレオグラム作製装置１０においては、画像情報処理部１１において視差画像列Ｇ１に基づく視差画像情報Ｄ１の画像情報処理を行う際に、再生画像４０がホログラフィックステレオグラム５のホログラム面５ａの近傍に定位させるようにする視点変換処理を施して露光用画像情報Ｄ４が生成される。ホログラフィックステレオグラム５は、かかる視点変換処理が施された露光用画像情報Ｄ４に基づいて液晶表示器２４に露光用画像Ｇ４が表示され、この露光用画像Ｇ４によって物体レーザ光Ｌ２を画像変調してこの物体レーザ光Ｌ２と参照レーザ光Ｌ３との干渉縞によりホログラム記録画像Ｆ１がホログラム記録媒体４に露光記録される。
【００６７】
ホログラフィックステレオグラム５には、これによって図７（Ｂ）に示すように、再生画像４０がホログラム面５ａの近傍に定位されるようになる。したがって、ホログラフィックステレオグラム５は、同図に示すように、使用者がホログラム面５ａに目をつけて使用せずとも空間的歪みやぼやけの無い明瞭な再生画像４０が再生される。
【００６８】
図８及び図９は、上述したｒｅ−ｃｅｎｔｅｒｉｎｇ撮像法によって作成されたｍ枚の要素視差画像ｇ１１〜ｇ１ｍからなる視差画像列Ｇ１に基づく視差画像情報Ｄ１から露光用画像情報Ｄ４を再構成する視点変換処理の原理を説明した図である。露光用画像情報Ｄ４は、ｎ個の要素露光用画像ｇ４１〜ｇ４ｎからなる露光用画像Ｇ４を生成して液晶表示器２４に表示させる。ホログラフィックステレオグラム作製装置１０は、上述したように画像情報処理部１１に画像情報処理用コンピュータを備え、視点変換処理を施した露光用画像情報Ｄ４に基づいて要素露光用画像ｇ４を液晶表示器２４に順次表示して、物体レーザ光Ｌ２の画像変調を行い、要素ホログラム記録画像ｆ１を順次ホログラム用記録媒体５に露光記録するようにする。
【００６９】
図８は、視差方向（横方向）の長さをｌｅとするホログラフィックステレオグラム５のホログラム面５ａに、各露光点ｅｐ（ｅｐ１，・・・，ｅｐｎ）で各要素ホログラム記録画像ｆ１１〜ｆ１ｎを露光記録する露光用画像Ｇ４の各要素露光用画像ｇ４１〜ｇ４ｎと視差画像列Ｇ１の各要素視差画像ｇ１１〜ｇ１ｍとの位置関係を説明する図である。各露光点ｅｐには、視点距離ｄｖから露光角度θｅによって要素ホログラム記録画像ｆ１が露光記録される。各露光点ｅｐについては、説明の便宜上、ｅｐ１，ｅｐ２及びｅｐｎの３点のみが示されている。勿論、これら露光点ｅｐは、ホログラフィックステレオグラム５の横サイズｌｅ及びホログラム記録画像Ｆ１の表現精度の仕様によってその数を異にするが、例えば０．２ｍｍの等ピッチで、ｎ＝５００程度が存在するものとする。
【００７０】
各露光点ｅｐのピッチΔｌｅは、各要素ホログラム記録画像ｆ１のピッチと等しく、ホログラフィックステレオグラム５の横方向の長さｌｅに対して、
ｌｅ＝ｎ×Δｌｅ
となる。
【００７１】
また、同図において、ｌｃはｍ個の要素視差画像ｇ１からなる視差画像列Ｇ１の撮像幅、ｄｖは視点距離、ｄｆは視差画像列Ｇ１の撮像距離である。なお、各露光点ｅｐのピッチΔｌｅと各要素視差画像ｇ１の撮像幅Δｌｃは、必ずしも等しくは無い。視点距離ｄｖと撮像距離ｄｆとは等しい。ホログラフィックステレオグラム５の各露光点ｅｐには、液晶表示器２４に順次表示される各要素露光用画像ｇ４が露光角度θｅを以ってそれぞれ露光記録される。各要素露光用画像ｇ４は、例えばその解像度が縦６４０（pixel）、横（視差方向）４８０（pixel）の画像サイズを以って構成される。
【００７２】
視点変換処理は、視差画像列Ｇ１のｍ個の要素視差画像情報ｄ１を入れ替えることによって、ｎ個の要素露光用画像ｇ４を生成する新たな露光用画像情報Ｄ４を再構成する画像情報処理である。視点変換処理は、要素視差画像情報ｄ１の入れ替えを最小単位、すなわち縦６４０（pixel）、横１（pixel）のスリット状の要素画像を以って行い、ｍ個の要素視差画像情報ｄ１からこの要素画像を取り出して縦６４０（pixel）、横４８０（pixel）の画像サイズからなる要素露光用画像ｇ４を構成する。
【００７３】
視点変換処理について、図９を用いて詳細に説明する。同図は、図８における１つの要素露光用画像ｇ４１を取り出してその画像再構成の状態を示した図である。要素露光用画像ｇ４１は、視点距離ｄｖ上のサンプリング点ｍｐ１１，ｍｐ１２，・・・，ｍｐ１ｋのそれぞれにおける画像情報が、撮像された視差画像列Ｇ１の中のどの要素視差画像ｇ１に基づくどの要素視差画像情報ｄ１からマッピングされるかを演算処理して再構成される。
【００７４】
マッピングに際しては、露光点ｅｐ１と要素露光用画像ｇ４１の各サンプリング点ｍｐ１１，ｍｐ１２，・・・，ｍｐ１ｋとをそれぞれ結ぶ直線（マッピングラインｍｌ）を考える。視差画像は、視差画像列Ｇ１の中からこのマッピングラインｍｌが視点距離ｄｖ上の面ＤＶと交わる点、すなわちサンプリング点ｍｐ１１，ｍｐ１２，・・・，ｍｐ１ｋのそれぞれに最も近い視点をもつものが選択される。
【００７５】
なお、同図では、説明の便宜上、視差画像列Ｇ１の視点とサンプリング点とが全て一致されて示されているが、視差画像列Ｇ１の撮像パラメータの設定或いは作成するホログラムステレオグラム５に関するパラメータの設定によってはこれらが必ずしも一致されないことがあることは勿論である。視差方向のサンプリング数（ピクセル数）は、上述したように要素露光用画像ｇ４１が縦６４０（pixel）、横４８０（pixel）の画像サイズを有することから４８０であり、ｋ＝４８０となる。
【００７６】
サンプリング点ｍｐ１１は、最も近い視点をもつ要素視差画像ｇ１、すなわち視点ｍｐ１１をもつ要素視差画像ｇ１１が選択され、露光点ｅｐ１と要素視差画像ｇ１１の視点ｍｐ１１を結ぶマッピングラインｍｌ１（図中太線で示す）を要素視差画像ｇ１１のスクリーンの方向に延長したときに撮像距離ｄｆ上のスクリーン面ＤＳと交わる点ｏｐ１ｊに存在する縦６４０（pixel）、横１（pixel）の要素視差情報ｄ１が取り出されてｍｐ１１にマッピングされる。なお、ここでｏｐは、撮像された視差画像列Ｇ１のサンプリング点を表し、それぞれの視差画像にｊ個のサンプリング点が存在する。例えば、要素視差画像ｇ１１には、ｏｐ１１，ｏｐ１２，・・・，ｏｐ１ｊのサンプリング点が存在する。各要素視差画像ｇ１は、それぞれ縦６４０（pixel）、横４８０（pixel）の画像サイズによって構成されることから、ｊ＝４８０となる。
【００７７】
視点変換処理は、上述した画像情報処理を他のサンプリング点ｍｐ１２，・・・，ｍｐ１ｋについてそれぞれ行うことにより、視差画像列Ｇ１から１枚の新たな要素露光用画像ｇ４１が再構成される。視点変換処理は、さらに同様の画像処理を他の露光点ｅｐ１２，・・・，ｅｐ１ｊについて行うことにより、それぞれの露光点ｅｐにおける要素露光用画像ｇ４２，ｇ４３，・・・，ｇ４ｎがそれぞれ再構成される。再構成された各要素露光用画像ｇ４は、液晶表示器２４に順次表示されて、これを透過した物体レーザ光Ｌ２が参照レーザ光Ｌ３と干渉してホログラム用記録媒体４にスリット状の要素ホログラム記録画像ｆ１を横方向に順次露光記録する。
【００７８】
上述した視点変換処理を施された露光用画像Ｇ４に基づいて作成されたホログラムステレオグラム５は、視点位置がホログラム面５ａから観察者側にｄｖ移動することによって、ホログラム記録画像Ｆ１の再生画像４０もこのｄｖだけ観察者側に移動する。ホログラムステレオグラム５は、これによって図７（Ｂ）に示すように、再生画像４０がホログラム面５ａ上に定位し、これを観察距離ｄｖから観察することによって空間歪みが無くかつぼけの少ない高精度の再生画像４０を再生する。
【００７９】
ところで、上述した視点変換処理は、視差画像列Ｇ１の要素視差画像ｇ１を入れ替えて新たな要素露光用画像ｇ４からなる露光用画像Ｇ４を再構成する処理であるが、パラメータが同一であるならば他の被写体Ｐを撮像した異なる視差画像情報Ｄ１であっても入替順序が同一である。したがって、視点変換処理は、対象となる視差画像情報Ｄ１の視点（撮像距離ｄｆ）等が同一であることを条件に、画素列の入替順序を記録したデータを用意し、このデータを参照して処理を施すようにしてもよい。
【００８０】
すなわち、視点変換処理は、初回だけ上述した方法によって視差画像情報Ｄ１の要素視差画像ｇ１と再生画像４０の画素列との対応関係を求めて要素露光用画像ｇ４を再構成する。この対応関係は、例えばハードディスクドライブ装置やメモリ装置等の外部記憶装置に保存されるとともに、次回以降の視点変換処理の際に呼び出されて利用される。したがって、視点変換処理は、視差画像情報Ｄ１毎に上述した検索、計算を繰り返して処理を施すことが不要となって処理速度の大幅な短縮が図られる。
【００８１】
ホログラフィックステレオグラム５は、横方向の視差については上述した視点変換処理によって視点位置情報の補正がなされ、また縦方向については視差画像列Ｇ１の各要素視差画像ｇ１の撮像時の情報がそのまま保存されている。ホログラフィックステレオグラム５は、被写体Ｐを視差画像列撮像装置１を横方向に移動させながら連続して撮像する視点移動と同様にホログラム面５ａに対して視点を横方向に移動させながら観察されることによって、被写体Ｐの再生画像４０がホログラム面５ａの近傍に歪みの無い状態で再生される。
【００８２】
ホログラフィックステレオグラム作製装置１０においては、画像情報生成用コンピュータ２によって生成されて供給されるコンピュータ画像情報Ｄ２や２次元画像情報作成装置３により作成されて供給された２次元画像情報Ｄ３とが、画像情報処理部１１において上述した視差画像列撮像装置１によって撮像された視差画像情報Ｄ１と適宜合成される。また、ホログラフィックステレオグラム作製装置１０は、２次元画像情報Ｄ３に基づく２次元画像Ｇ３がホログラム記録媒体４の所定の深さ位置Ｚ（図１０及び図１１を参照。）に露光記録されるように、画像情報処理部１１においてこの２次元画像情報Ｄ３のマッピング変換処理が施されて２次元露光用画像情報Ｄ５が生成され、この２次元露光用画像情報Ｄ５に基づいて液晶表示器２４に２次元露光用画像Ｇ５が表示される。さらに、２次元露光用画像Ｇ５は、物体レーザ光Ｌ２と参照レーザ光Ｌ３とによってホログラム記録媒体５に２次元記録画像Ｆ２として露光記録される。なお、２次元記録画像Ｆ２が露光記録されるホログラム記録媒体４の所定の深さ位置Ｚとは、再生画像４０を観察する観察者からみての記録位置である。
【００８３】
図１０及び図１１は、２次元画像情報作成装置３により作成された２次元画像Ｇ３に基づく２次元記録画像Ｆ２をホログラム記録媒体４の所定の深さ位置Ｚに露光記録させるためのマッピング変換処理の原理を説明する図である。物体レーザ光Ｌ２は、２次元画像情報Ｄ３にマッピング変換処理を施して生成した２次元露光用画像情報Ｄ５に基づく２次元露光用画像Ｇ５が表示された液晶表示器２４を透過する際に画像変調されて第２のシリンドリカルレンズ２３に入射される。物体レーザ光Ｌ２は、第２のシリンドリカルレンズ２３によって横方向に集光されてホログラム記録媒体４に入射され、そのホログラム面５ａに２次元記録画像Ｆ２を露光記録する。
【００８４】
なお、以下の説明において、便宜上、液晶表示器２４を透過した物体レーザ光Ｌ２によって露光記録される２次元記録画像Ｆ２を投影画像５０と称し、液晶表示器２４に表示された２次元露光用画像Ｇ５を表示画像５２と称する。また、ホログラム記録媒体４は、作成されるホログラフィックステレオグラム５と同等であるから、図１０及び図１１において物体レーザ光Ｌ２の集光点にホログラム面５ａの符号を付す。さらに、２次元記録画像Ｆ２は、ホログラム面５ａから所定の深さ位置Ｚに露光記録されることから、このＺ位置をスクリーン面５１と称する。勿論、スクリーン面５１とは、仮想面であり、例えば光学系１４中に拡散部材を配置することによって図１０の斜線で示した領域に２次元露光用画像Ｇ５が投影されるという意味である。このスクリーン面５１に投影される仮想の２次元露光用画像Ｇ５に基づく投影画像がホログラフィックステレオグラム５の所定の深さ位置Ｚに実際に露光記録される２次元記録画像Ｆ２に対応する。
【００８５】
表示画像５２は、横方向（視差方向）の大きさがＹｓ、縦方向（非視差方向）の大きさがＸｓであり、その画素数が横方向でＹｐ（pixel）、縦方向でＸｐ（pixel）である。作成される２次元記録画像Ｆ２、すなわち投影画像５０は、横方向（視差方向）の大きさがＹｈであり、非視差方向である縦方向の大きさＸｈについては表示画像５２の縦方向の大きさＸｓと等しい。投影画像５０は、その画素数が、縦方向で画素数Ｘｔ（pixel）、横方向で画素数Ｙｔ（pixel）である。縦方向の画素数Ｘｔは、投影画像５０の画素数Ｘｐと等しい。また、横方向の画素数Ｙｔについては、投影画像５０の縦方向の画素数に対する表示画像５２の大きさの縦横比、すなわちＹｔ＝ＸｐＸｐ×（Ｙｈ／Ｘｈ）とするのが好ましい。
【００８６】
また、表示画像５２を集光する第２のシリンドリカルレンズ２３は、焦点距離をｆ、集光角をθとすると、θ＝ｔａｎ−１（Ｙｓ／ｆ）の関係を満たしている。なお、図１０及び図１１に示すように、視点からホログラム面５ａの距離をｅとする。
【００８７】
以上の条件から、２次元記録画像Ｆ２をホログラム記録媒体４の所定の深さ位置Ｚに露光記録されせるためのマッピング変換処理の原理について図１１を参照して詳細に説明する。ホログラム面５ａには、同図（Ａ）に示すように、横方向のあるポイントｐｐから深さ位置Ｚのスクリーン面５１を見込む領域に投影画像５０が投影される。したがって、スクリーン面５１には、表示画像５２の横方向の画素数Ｙｔ（pixel）から、〔Ｙｔ×Ｙｉ／Ｙｈ〕（pixel）但し：Ｙｉ＝２×Ｚ×ｔａｎ（θ／２）の画素を抜き出してスクリーン面５１に投影すればよい。この原理から明らかなように、２次元記録画像Ｆ２をホログラム記録媒体４の所定の深さ位置Ｚに露光記録する場合に、視点からホログラム面５ａの距離ｅに制限されることは無い。
【００８８】
一方、２次元記録画像Ｆ２は、図１１（Ｂ）に示すように、ホログラム面５ａから所定の深さ位置Ｚに露光記録されることから、縦方向について投影画像５０がこのホログラム面５ａにおいてｅ／（ｅ＋Ｚ）に縮小されなければならない。すなわち、各要素視差画像列ｇ１は、上述したように縦が４８０（pixel）、横が６４０（pixel）の横長の画像サイズを有している。また、ホログラム記録画像Ｆ１は、縦が６４０（pixel）、横が４８０（pixel）の縦長の画像サイズを有している。投影画像５０は、ホログラム面５ａでの縦方向の大きさ〔Ｘｓ×ｅ／（ｅ＋Ｚ）〕が、スクリーン面５１から拡大或いは縮小されずにそのまま露光記録される。したがって、スクリーン面５１には、表示画像５２の縦方向の画素数Ｘｔ（pixel）から、〔Ｘｔ×ｅ／（ｅ＋Ｚ）〕（pixel）の画素を抜き出してスクリーン面５１に投影される。
【００８９】
さらに、２次元記録画像Ｆ２をホログラム記録媒体４の所定の深さ位置Ｚに露光記録する場合においては、ホログラム面５ａ上の移動ピッチとスクリーン面５１の切取範囲の中心位置との関係を考慮する必要がある。この関係は、２次元画像情報Ｄ３に対して〔Ｙｔ×ｄｙ／Ｙｈ〕（pixel）の移動条件を与えて２次元露光用画像情報Ｄ５を生成すればよい。
【００９０】
上述した２次元画像情報Ｄ３のマッピング変換処理の原理に基づいて、以下ホログラフィックステレオグラム５の具体的によって説明する。ホログラフィックステレオグラム５は、上述したようにその解像度が横方向の画素数Ｙｐを４８０（pixel）、縦方向の画素数Ｘｐが６４０（pixel）によって構成されるとともに、その大きさが横方向Ｘｈを６７．５ｍｍ、アスペクト比を４／３として縦方向Ｙｈを９０ｍｍとして作成される。また、液晶表示器２４に表示される表示画像５２（２次元露光用画像Ｇ５）は、その大きさが横方向Ｙｓを５０．４ｍｍ、縦方向Ｘｓを６７．５ｍｍとし、この範囲に存在する画素数が横方向Ｙｐを４８０（pixel）、縦方向Ｘｐを６４０（pixel）とされる。
【００９１】
したがって、スクリーン面５１上に投影される投影画像５０は、２次元画像情報Ｄ３を対象として、その画素数が横方向Ｙｔを６４０×（９０／６７．５）＝８５３（pixel）、縦方向Ｘｔを表示画像５２と同等の６４０（pixel）にマッピング変換処理されて再構成された２次元露光用画像情報Ｄ５に基づいて生成される。なお、物体レーザ光Ｌ２を集光する光学系１４の第２のシリンドリカルレンズ２３は、θ＝ｔａｎ−１（Ｙｓ／ｆ）であることから、θ＝ｔａｎ−１（５０．４／５４．５１３）＝４９．５°の関係が成り立っている。また、視点からホログラム面５ａの距離ｅは、３００ｍｍである。
【００９２】
図１２は、上述した２次元画像情報Ｄ３にマッピング変換処理を施して２次元露光用画像情報Ｄ５として再構成する具体例についてまとめて示したものである。同図から明らかなように、２次元画像情報Ｄ３のオリジナルビットマップは、横方向が９０ｍｍでそのビット数が８５３（pixel）、縦方向が６７．５ｍｍでそのビット数が６４０（pixel）である。２次元画像情報Ｄ３は、第２のシリンドリカルレンズ２３に集光され、横方向の画素数Ｙｔ；８５３（pixel）のなかから同図に示すように横方向で２Ｚ×ｔａｎ２４．７５°ｍｍの領域の画素分、すなわち８５３×２Ｚ×ｔａｎ２４．７５°／９０（pixel）の画素分を抜き出してマッピング変換処理を施して再構成された２次元露光用画像Ｇ５に基づく表示画像５２が液晶表示器２４に表示される。２次元露光用画像Ｇ５は、縦方向についてビット数を６４０（pixel）から６４０×ｅ／（ｅ＋Ｚ）（pixel）に縮小されて、スクリーン面５１に投影される。さらに、２次元画像情報Ｄ３には、ホログラム面５ａ上の移動距離ｄｙに対して、８５３×ｄｙ／９０（pixel）の移動条件が与えられて、２次元露光用画像情報Ｄ５が再構成される。
【００９３】
上述した２次元画像情報Ｄ３のマッピング変換処理は、画像情報処理部１１において極めて高速で処理することが可能である。したがって、ホログラフィックステレオグラム作成装置１０は、上述した視差画像列Ｇ１の各要素視差画像ｇ１に基づいて要素ホログラム記録画像ｆ１をホログラム記録媒体４に露光記録するプロセス中において、例えばホログラム記録媒体４の搬送の間或いはホログラム記録媒体４が安定した状態となるまでの間にこの２次元画像情報Ｄ３のマッピング変換処理が施される。したがって、ホログラフィックステレオグラム作製装置１０には、予め２次元記録画像Ｆ２を露光記録した特殊なホログラム記録媒体を用いることが不要とされる。
【００９４】
ホログラフィックステレオグラム作製装置１０においては、画像情報処理部１１において上述したマッピング変換処理が施された２次元画像情報Ｄ３が、必要に応じてコンピュータ画像情報Ｄ２を加えて視点変換処理が施された視差画像情報Ｄ１との合成処理が施される。この合成処理に際して、２次元画像情報Ｄ３のマッピング変換処理に用いた上述したパラメータと視差画像情報Ｄ１の視点変換処理に用いた上述したパラメータとのマッチングが図られる。
【００９５】
ホログラフィックステレオグラム作製装置１０は、例えば視差画像列撮像装置１によってある人物を撮像してなる視差画像列Ｇ１からこの人物のみを抽出した画像処理を行うとともに、画像情報生成用コンピュータ２によって生成される適宜の背景画像のコンピュータ画像列Ｇ２を合成し、さらに人物の撮影情報、例えば人物紹介や撮影日時、場所等を説明する２次元画像Ｇ３に基づく２次元記録画像Ｆ２を合成してホログラフィックステレオグラム５を作成する。ホログラフィックステレオグラム作製装置１０は、例えばホログラム記録画像Ｆ１として新製品の画像が、２次元記録画像Ｆ２として当該新製品の機能や仕様等の紹介文とが合成された表示効果に優れたホログラフィックステレオグラム５を極めて簡易に作成することを可能とする。
【００９６】
ホログラフィックステレオグラム作製装置１０は、２次元画像Ｇ３に基づく２次元画像情報Ｄ３を、例えば固定情報として予め記憶装置に格納し、ホログラフィックステレオグラム５を作成する際に、必要に応じて適宜選択して２次元記録画像Ｆ２をホログラム記録画像Ｆ１に対応してホログラム記録媒体４の適当な位置かつ深さ位置に合成するようにする。ホログラフィックステレオグラム作製装置１０は、かかる２次元画像Ｇ３の対応を極めて短時間で処理して、バライティに溢れたホログラフィックステレオグラム５の作成を可能とする。
【００９７】
なお、上述した２次元画像Ｇ３については、平面画像をビットマップデータとしたものについて説明したが、例えばアウトラインフォントのように拡大、縮小を施しても画像の粗さが目立たぬようにフォーマット処理を施すことも可能である。また、上述した２次元画像情報Ｄ３のマッピング変換処理は、ホログラフィックステレオグラム５の全体面を対象として所定の深さ位置に２次元記録画像Ｆ２を露光記録する場合を説明したが、例えば複数の２次元記録画像Ｆ２をホログラム記録媒体４の異なる深さ位置にそれぞれ露光記録してホログラフィックステレオグラム５を作成する場合にも適用されることは勿論である。
【００９８】
ところで、上述した２次元画像情報Ｄ３のマッピング変換処理は、２次元記録画像Ｆ２をホログラム記録媒体４の異なる深さ位置にそれぞれ露光記録することから、これを利用して作成されるホログラフィックステレオグラム５の解像度等を定量評価する方法にも展開することが可能となる。すなわち、ホログラフィックステレオグラム５は、図１３に示すように、例えばＸーＹテーブル６０上に載置された状態で平行レーザ光Ｌｔが照射されて微小領域ΔＭの回折像をミクロフォトメータ（光密度測定器）６１によって測定される。ホログラフィックステレオグラム５は、同図に示すように、移動テーブル６０を移動動作させることにより、ホログラム面５ａの任意の位置の回折光の強度が測定される。
【００９９】
図１４は、上述したホログラフィックステレオグラム５について、回折強度を測定した結果を、縦軸に回折光強度、横軸に位置をとってプロットした図である。ホログラフィックステレオグラム５は、各要素ホログラム記録画像ｆ１を対象として回折強度の測定が行われることによって、その評価が行われる。
【０１００】
光密度測定器６１は、詳細を省略するが、結像レンズと光電素子とを備えてなり、結像レンズの倍率や焦点距離を変えることによって上述したホログラフィックステレオグラム５のホログラム面５ａばかりでなく深さ方向の所定の深さ位置に焦点を合わせて回折光の強度測定が可能とされる。したがって、ホログラフィックステレオグラム５は、上述した方法によってホログラム面５ａから所定の深さ位置Ｚに露光記録された２次元記録画像Ｆ２を対象として、その回折像の解像度を定量評価することが可能とされる。なお、光密度測定器６１は、この評価を視覚評価と近似させるために、結像レンズのＮＡ等が最適に選択されて結像系の焦点深度を人間の視覚系の値と近いものとされる。
【０１０１】
ホログラフィックステレオグラム５は、２次元画像情報Ｄ３に対して上述したマッピング変換処理を施して再構成した２次元露光用画像情報Ｄ５に基づいて液晶表示器２４に表示された２次元露光用画像情報Ｇ５によってホログラム記録媒体４の所定の深さ位置に２次元記録画像Ｆ２が露光記録されることから、ホログラム面５ａ上ばかりでなく深さ方向にもテストパターン情報が記録されたテストパターン用ホログラフィックステレオグラムとして作成される。テストパターン情報は、例えば２次元の白画像部と黒画像部とが所定の間隔を以って交互に形成されてなるものや、ビットマップ輝度（濃度）深さを正弦波状に形成してなるものによって構成される。テストパターン情報は、ホログラム面５ａを対象とする平面画像画質評価方法をそのまま適用することにより、ＭＴＦ（空間周波数特性）等の測定も可能とする。また、テストパターン情報は、色付き情報として露光記録されることにより、フルカラー化されたホログラフィックステレオグラム５を対象とした色測定用にも適用される。
【０１０２】
ホログラフィックステレオグラム作製装置１０には、上述したミクロフォトメータ６１の機能を搭載してもよい。すなわち、ホログラフィックステレオグラム作製装置１０は、図１５に示すように、記録媒体送り機構１５を構成するヒートローラ３２と排出用送りローラ３４との間に位置してミクロフォトメータ６１が配設されてなる。なお、同図において、他の構成については上述した図４の構成と同一であるため、同一符号を付すことによって説明を省略する。ホログラフィックステレオグラム作製装置１０は、上述したプロセスを経て露光記録された２次元記録画像Ｆ２を対象として回折光強度の測定を行う。
【０１０３】
ホログラフィックステレオグラム作製装置１０は、ミクロフォトメータ６１によって対象の２次元記録画像Ｆ２から所定の回折光強度が得られなかった場合に検出出力を制御部１２へと送出する。制御部１２は、この検出出力に基づいてプリンタ部１３に対して制御出力Ｓ２を送出してホログラムの作成プロセスを停止させる。ホログラフィックステレオグラム作製装置１０は、このように自己診断機能を備えることによって品質の高いホログラフィックステレオグラム５を作成する。
【０１０４】
上述したホログラフィックステレオグラム作製装置１０においては、ホログラム記録媒体４にホログラム記録画像Ｆ１をモノクロで露光記録したホログラフィックステレオグラム５を作成する装置であるが、本発明はかかるホログラフィックステレオグラム作製装置１０に限定されるものではない。ホログラフィックステレオグラム作製装置は、例えば赤、緑、青の３原色のレーザ光源を備えるとともにこれらレーザ光源に対応して各光学系と液晶表示装置とを備えることによって、ホログラム記録媒体４に合成されたホログラム表示画像Ｆ１をカラーで露光記録する装置であってもよい。
【０１０５】
また、ホログラフィックステレオグラム作製装置１０においては、横方向の視差情報のみを有するホログラフィックステレオグラム（いわゆるＨｏｒｉｚｏｎｔａｌ  Ｐａｒａｌｌａｘ  Ｏｎｌｙ）を露光記録する装置であるが、本発明は、横方向及び縦方向の視差情報を有するホログラフィックステレオグラム（いわゆるＦｕｌｌ  Ｐａｒａｌｌａｘ）にも適用可能であることは勿論である。かかるホログラフィックステレオグラム作製装置においては、物体レーザ光Ｌ２と参照レーザ光Ｌ３とをシリンドリカルレンズ２４，３３で短冊状に集光する代わりにドット状に集光させるとともに、ホログラム記録媒体４を集光位置に対して相対的に２次元的に移動させて全面露光を行うように構成される。
【０１０６】
【発明の効果】
以上詳細に説明したように、本発明にかかる画像情報の記録方法によれば、２次元記録画像を生成する２次元画像情報に対して、記録媒体の画像記録基準面からの深さ位置を規定する深さ位置情報に基づく画像形状処理を施して記録用画像情報を生成するとともに、この記録用画像情報に基づいて２次元記録画像を記録媒体の深さ位置に視差画像に合成して記録するようにしたことから、２次元画像情報を記録媒体の所定の深さ位置に所定の大きさで記録するための画像形状処理が極めて簡易にかつ比較的小型の処理装置によって行われ、画像記録装置の小型化と処理時間の短縮が図られるとともに、深さ位置を異にした正確な２次元画像情報の記録によってより表示効果の向上が図られる。また、画像情報の記録方法は、２次元画像を極めて簡易にかつ迅速に視差画像列に基づく視差記録画像と合成して記録することが可能であるから、より表示効果が高くかつ利用目的が拡大されたホログラフィックステレオグラムを極めて簡易に作成することが可能となる。
【０１０７】
また、本発明にかかる画像情報記録装置によれば、画像記録基準面からの深さ位置を異にして画像情報に基づく記録画像の記録を可能とした記録媒体に対して、画像記録基準面からの深さ位置を規定する深さ位置情報に基づく画像形状処理を施した記録用画像情報によって２次元記録画像がこの深さ位置に視差画像に合成して記録されることから、比較的小容量の演算手段によって２次元記録画像を記録媒体の所定の深さ位置に記録するための画像形状処理が迅速に行われるとともに装置全体の小型化と処理時間の短縮が図られかつ深さ位置を異にした正確な２次元記録画像が記録されてより表示効果の向上が図られた記録媒体の作成が可能とされる。また、画像情報記録装置は、２次元画像を極めて簡易にかつ迅速に視差画像列に基づく視差画像と合成して記録することが可能であることから、より表示効果が高くかつ利用目的が拡大されたホログラフィックステレオグラムの作成を可能とする。
【０１０８】
さらに、本発明にかかるホログラフィックステレオグラムによれば、比較的小容量の演算手段を有するとともに２次元記録画像を記録媒体の所定の深さ位置に記録するための画像形状処理が迅速に行われる小型化と処理時間の短縮化が図られた画像情報記録装置が用いられて、ホログラム記録媒体に対して２次元記録画像が視差画像情報列に基づく視差記録画像と合成して所定の深さ位置に正確な形状で効率よく記録されることから、コスト低減が図られ表示効果が高くかつ利用目的の拡大が図られる。
【図面の簡単な説明】
【図１】  本発明の実施の形態として示すホログラフィックステレオグラム作製装置の全体構成を説明するブロック図である。
【図２】  同ホログラフィックステレオグラム作製装置に用いられるホログラム記録媒体の説明図であり、同図（Ａ）は要部断面図、同図（Ｂ）は感光プロセスの初期状態を示し、同図（Ｃ）は露光状態を示し、同図（Ｄ）は定着状態を示す。
【図３】  同ホログラフィックステレオグラム作製装置の光学系を模式的に説明した図であり、同図（Ａ）は平面図であり、同図（Ｂ）は側面図である。
【図４】  同ホログラフィックステレオグラム作製装置に備えられた記録媒体送り機構の構成を模式的に説明する図である。
【図５】  同ホログラフィックステレオグラム作製装置に供給される、視差画像列の作成方法を説明する模式図である。
【図６】  同視差画像列の他の作成方法を説明する模式図である。
【図７】  同視差画像情報に施す視点変換処理の説明図であり、同図（Ａ）は視点変換処理を施さない状態の再生画像の結像状態を説明する図であり、同図（Ｂ）は視点変換処理を施した状態の再生画像の結像状態を説明する図である。
【図８】  同ｒｅ−ｃｅｎｔｅｒｉｎｇ撮像法によって撮像された視差画像列に基づく視差画像情報に施す視点変換処理の具体的な内容を説明する図である。
【図９】  同視点変換処理における要素視差画像（要素視差画像情報）と要素視差ホログラム表示画像（要素露光用画像情報）との対応を説明する図である。
【図１０】  同２次元画像（２次元画像情報）に対してマッピング変換処理を施して２次元ホログラム表示画像（２次元ホログラム画像情報）を生成する原理を説明する図である。
【図１１】  同２次元画像に施すマッピングの変換処理の具体的な内容を説明する図であり、同図（Ａ）は平面方向から示した図であり、同図（Ｂ）は側面方向から示した図である。
【図１２】  ２次元画像にマッピング変換処理を施して２次元ホログラム画像を生成する画像変換の説明図である。
【図１３】  同ホログラフィックステレオグラム作製装置によって作成されたホログラフィックステレオグラムの評価装置の概略構成を説明する図である。
【図１４】  同ホログラフィックステレオグラムの回折光強度分布図である。
【図１５】  同ホログラフィックステレオグラムの評価装置を備えた他の記録媒体送り機構の構成を模式的に説明する図である。
【符号の説明】
１  視差画像列撮像装置、２  画像情報生成用コンピュータ、３  ２次元画像情報生成装置、４  ホログラム記録媒体、５  ホログラフィックステレオグラム、５ａ  ホログラム面（画像記録基準面）、１０  ホログラフィックステレオグラム作製装置、１１  画像情報処理部（演算手段）、１２  制御部、１３  プリンタ部、１４  光学系（記録手段）、１５  記録媒体送り機構、１６  レーザ光源、２３  第２のシリンドリカルレンズ、２４  液晶表示器、４０  再生画像、５０  投影画像、５１  スクリーン面、５２  仮想投影像、６１  ミクロフォトメータ（光電変換手段）、Ｄ１  視差画像情報、ｄ１  要素視差画像情報、Ｄ２  コンピュータ画像情報、ｄ２  要素コンピュータ画像情報、Ｄ３  ２次元画像情報、Ｄ４  露光用画像情報、ｄ４  要素露光用画像情報、Ｄ５  ２次元露光用画像情報、Ｇ１  視差画像列、ｇ１  要素視差画像、Ｇ２  コンピュータ画像列、ｇ２  要素コンピュータ画像、Ｇ３  ２次元画像、Ｇ４  露光用画像、ｇ４  要素露光用画像、Ｇ５  ２次元露光用画像、Ｆ１  ホログラム記録画像、ｆ１  要素ホログラム記録画像、Ｆ２  ２次元記録画像、Ｌ１  レーザ光、Ｌ２  物体レーザ光、Ｌ３  参照レーザ光
【図１】
0004038841.tif 000002
【図２】
0004038841.tif 000003
【図３】
0004038841.tif 000004
【図４】
0004038841.tif 000005
【図５】
0004038841.tif 000006
【図６】
0004038841.tif 000007
【図７】
0004038841.tif 000008
【図８】
0004038841.tif 000009
【図９】
0004038841.tif 000010
【図１０】
0004038841.tif 000011
【図１１】
0004038841.tif 000012
【図１２】
0004038841.tif 000013
【図１３】
0004038841.tif 000014
【図１４】
0004038841.tif 000015
【図１５】
0004038841.tif 000016